(57)【要約】【課題】省電力モードで待機している状態において画像形成すべき事象が発生した場合の初期化動作に伴い発生する音を抑制することのできる画像形成装置を提供する。【解決手段】画像形成装置は、画像形成の実施が可能な規定の電力より少ない電力が供給される状態を示す省電力モードで待機しているときに、画像形成すべき事象が発生したときは、初期化対象の要素の中で複数の画像形成機能のうち特定の画像形成機能に応じた要素を初期化させる制御を実行する制御手段、を備える。【選択図】図１
2010078935.tif 000002
【特許請求の範囲】
【請求項１】
画像形成の実施が可能な規定の電力より少ない電力が供給される状態を示す省電力モードで待機しているときに、画像形成すべき事象が発生したときは、初期化対象の要素の中で複数の画像形成機能のうち特定の画像形成機能に応じた要素を初期化させる制御を実行する制御手段、
を有することを特徴とする画像形成装置。
【請求項２】
前記制御手段は、
前記特定の画像形成機能に対応する画像形成の対象となるデータにかかわる画像出力に関する指定情報に基づき、前記初期化対象の要素の中で前記特定の画像形成機能に応じた要素を初期化させる制御を実行する、
ことを特徴とする請求項１記載の画像形成装置。
【請求項３】
ファックス機能を含む複数の画像形成機能のそれぞれに対応して画像処理を実行する画像処理手段と、
前記画像処理手段による画像処理の結果を基に、供給される記録媒体に画像形成を施す画像形成手段と、
記録媒体を収容し前記画像形成手段に対し当該収容している記録媒体を供給する複数の記録媒体供給手段と、
相手装置とのファクシミリ通信により画像データと該画像データにかかわる画像出力に関する指定情報とを含む印刷情報を受信する通信手段と、
前記画像処理手段、前記画像形成手段および前記複数の記録媒体供給手段の各構成要素が当該構成要素ごとの規定の電力の供給が停止されている状態を示す省電力モードで待機しているときに、前記通信手段が前記印刷情報を受信したときは、前記画像処理手段、前記画像形成手段、および前記複数の記録媒体供給手段のそれぞれにかかわる初期化対象の要素の中で前記ファックス機能に応じた要素を初期化させる制御を実行する制御手段と、
を有することを特徴とする画像形成装置。
【請求項４】
前記制御手段は、
前記複数の記録媒体供給手段のうち、前記通信手段が受信した前記印刷情報の中の前記指定情報に含まれるサイズ情報に基づく記録媒体を収容している記録媒体供給手段を初期化させる制御を実行する、
ことを特徴とする請求項３記載の画像形成装置。
【請求項５】
前記制御手段は、
前記通信手段が受信した前記印刷情報の中の前記指定情報にモノクロ形式で画像出力すべき旨が含まれているときは、前記画像形成手段に対し、カラー印刷する場合に必要となる画像形成にかかわる事前の処理を禁止させる制御を実行する、
ことを特徴とする請請求項３または４記載の画像形成装置。
【請求項６】
前記制御手段は、
前記通信手段が受信した前記印刷情報の中の前記指定情報にモノクロ形式で画像出力すべき旨が含まれているときは、前記画像処理手段に対し、カラー印刷する場合に必要となる画像処理にかかわる事前の処理を禁止させる制御を実行する、
ことを特徴とする請請求項３〜５の何れか一項に記載の画像形成装置。
【請求項７】
原稿を光学的に読み取り該読み取り結果に基づき画像データを生成する画像読取手段、を更に備え、
前記制御手段は、
前記画像読取手段が当該画像読取手段にかかわる規定の電力の供給が停止されている状態を示す省電力モードで待機しているときに、前記通信手段が前記印刷情報を受信したときは、当該画像読取手段にかかわる初期化を禁止させる制御を実行する、
ことを特徴とする請請求項３〜６の何れか一項に記載の画像形成装置。
【請求項８】
前記画像形成手段による画像形成が実施された結果としての印刷物に対する後処理を実施する後処理手段、を更に備え、
前記制御手段は、
前記後処理手段が当該後処理手段にかかわる規定の電力の供給が停止されている状態を示す省電力モードで待機しているときに、前記通信手段が前記印刷情報を受信したときは、当該後処理手段にかかわる初期化を禁止させる制御を実施する、
ことを特徴とする請請求項３〜７の何れか一項に記載の画像形成装置。
【請求項９】
前記画像形成手段による画像形成が実施された結果としての印刷物に対する後処理を実施する後処理装置が、当該画像形成装置に対応して当該印刷物に対する後処理が実施可能に装着されている場合、
前記制御手段は、
前記後処理装置が当該後処理装置にかかわる規定の電力の供給が停止されている状態を示す省電力モードで待機しているときに、前記通信手段が前記印刷情報を受信したときは、当該後処理装置にかかわる初期化を禁止させる制御を実施する、
ことを特徴とする請請求項３〜７の何れか一項に記載の画像形成装置。
【請求項１０】
ファックス機能を含む複数の画像形成機能を有する画像形成装置と、
前記画像形成装置から出力され画像形成の結果としての印刷物に対する後処理を実施する後処理装置と、
を有し、
前記画像形成装置は、
原稿を光学的に読み取り該読み取り結果に基づき画像データを生成する画像読取手段と、
画像形成対象の画像データにかかわる画像出力に関する指定情報を取得する取得手段と、
前記複数の画像形成機能のそれぞれに対応して画像処理を実行する画像処理手段と、
前記画像処理手段による画像処理の結果を基に、供給される記録媒体に画像形成を施す画像形成手段と、
記録媒体を収容し前記画像形成手段に対し当該収容している記録媒体を供給する複数の記録媒体供給手段と、
前記後処理装置、前記画像読取手段、前記複数の記録媒体供給手段、前記画像形成手段および前記画像処理手段の各構成要素が当該構成要素ごとの規定の電力の供給が停止されている状態を示す省電力モードで待機しているときに、画像形成すべき事象が発生したときは、前記後処理装置、前記画像読取手段、前記複数の記録媒体供給手段、前記画像形成手段および前記画像処理手段のそれぞれにかかわる初期化対象の要素の中で前記取得手段が取得した指定情報に基づき決定される要素を初期化させる制御を実行する制御手段と、
を有することを特徴とする画像形成システム。
【請求項１１】
前記画像形成装置は、
相手装置とのファクシミリ通信により画像データと該画像データにかかわる画像出力に関する指定情報とを含む印刷情報を受信する通信手段、を更に備え、
前記取得手段は、
前記通信手段が受信した前記印刷情報から前記指定情報を取得し、
前記制御手段は、
前記取得手段が取得した前記指定情報に基づき、
前記画像読取手段にかかわる初期化を禁止させる制御、
前記後処理装置にかかわる初期化を禁止させる制御、
前記複数の記録媒体供給手段の中の前記通信手段が受信した前記印刷情報に含まれる前記指定情報の中のサイズ情報に基づく記録媒体を収容している記録媒体供給手段以外の記録媒体供給手段にかかわる初期化を禁止させる制御、
前記通信手段が受信した前記印刷情報の中の前記指定情報にモノクロ形式で画像出力すべき旨が含まれているときは、前記画像形成手段に対してのカラー印刷する場合に必要となる画像形成にかかわる事前の処理を禁止させる制御、
前記通信手段が受信した前記印刷情報の中の前記指定情報にモノクロ形式で画像出力すべき旨が含まれているときは、前記画像処理手段に対してのカラー印刷する場合に必要となる画像処理にかかわる事前の処理を禁止させる制御、
の５つの制御のうち１つ以上の制御を実行する、
ことを特徴とする請求項１０記載の画像形成システム。
【請求項１２】
画像形成装置が画像形成の実施が可能な規定の電力より少ない電力が供給される状態を示す省電力モードで待機しているときに、画像形成すべき事象が発生したときは、初期化対象の要素の中で当該画像形成装置にかかわる複数の画像形成機能のうち特定の画像形成機能に応じた要素を初期化させる制御を実行する制御処理過程、
をコンピュータに実行させることを特徴とする画像形成制御プログラム。
【発明の詳細な説明】
【技術分野】
【０００１】
本発明は、画像形成装置、画像形成システム、画像形成制御プログラムに関する。
【背景技術】
【０００２】
従来の画像形成装置には、画像形成の実施が可能な規定の電力が供給される状態を示す通常電力モードと、当該規定の電力より少ない電力が供給される状態を示す省電力モードとに遷移するものがある。
【０００３】
このような画像形成装置においては、通常電力モードにおいて、画像形成が実施されない状態の継続した時間が予め設定される時間に達した場合、通常電力モードから省電力モードに遷移する。
【０００４】
また、画像形成装置は、省電力モードにおいて、例えばコンピュータなど情報処理装置から印刷データを含む印刷要求を受け付けたときは、省電力モードから通常電力モードに復帰し、前記印刷データに基づき画像形成を実施する。
【０００５】
なお、通常電力モードから省電力モードに遷移するとともに省電力モードから通常電力モードに遷移（復帰）する画像形成装置としては、例えば、特許文献１、特許文献２、および特許文献３に記載されたものが知られている。
【特許文献１】特開２００１−２７４９５３号公報
【特許文献２】特開２００６−２０１２７１号公報
【特許文献３】特開２００７−０４３６６５号公報
【発明の開示】
【発明が解決しようとする課題】
【０００６】
本発明は、省電力モードで待機している状態において画像形成すべき事象が発生した場合の初期化動作に伴い発生する音を抑制することのできる画像形成装置、画像形成システム、画像形成制御プログラムを提供することを目的とする。
【課題を解決するための手段】
【０００７】
上記課題を解決するため、請求項１に記載の本発明の画像形成装置は、画像形成の実施が可能な規定の電力より少ない電力が供給される状態を示す省電力モードで待機しているときに、画像形成すべき事象が発生したときは、初期化対象の要素の中で複数の画像形成機能のうち特定の画像形成機能に応じた要素を初期化させる制御を実行する制御手段、を有することを特徴とする。
【０００８】
請求項２に記載の発明は、上記請求項１に記載の発明において、前記制御手段は、前記特定の画像形成機能に対応する画像形成の対象となるデータにかかわる画像出力に関する指定情報に基づき、前記初期化対象の要素の中で前記特定の画像形成機能に応じた要素を初期化させる制御を実行する、ことを特徴とする。
【０００９】
上記課題を解決するため、請求項３に記載の本発明の画像形成装置は、ファックス機能を含む複数の画像形成機能のそれぞれに対応して画像処理を実行する画像処理手段と、前記画像処理手段による画像処理の結果を基に、供給される記録媒体に画像形成を施す画像形成手段と、記録媒体を収容し前記画像形成手段に対し当該収容している記録媒体を供給する複数の記録媒体供給手段と、相手装置とのファクシミリ通信により画像データと該画像データにかかわる画像出力に関する指定情報とを含む印刷情報を受信する通信手段と、前記画像処理手段、前記画像形成手段および前記複数の記録媒体供給手段の各構成要素が当該構成要素ごとの規定の電力の供給が停止されている状態を示す省電力モードで待機しているときに、前記通信手段が前記印刷情報を受信したときは、前記画像処理手段、前記画像形成手段、および前記複数の記録媒体供給手段のそれぞれにかかわる初期化対象の要素の中で前記ファックス機能に応じた要素を初期化させる制御を実行する制御手段と、を有することを特徴とする。
【００１０】
請求項４に記載の発明は、上記請求項３に記載の発明において、前記制御手段は、前記複数の記録媒体供給手段のうち、前記通信手段が受信した前記印刷情報の中の前記指定情報に含まれるサイズ情報に基づく記録媒体を収容している記録媒体供給手段を初期化させる制御を実行する、ことを特徴とする。
【００１１】
請求項５に記載の発明は、上記請求項３または４に記載の発明において、前記制御手段は、前記通信手段が受信した前記印刷情報の中の前記指定情報にモノクロ形式で画像出力すべき旨が含まれているときは、前記画像形成手段に対し、カラー印刷する場合に必要となる画像形成にかかわる事前の処理を禁止させる制御を実行する、ことを特徴とする。
【００１２】
請求項６に記載の発明は、上記請求項３〜５の何れか一項に記載の発明において、前記制御手段は、前記通信手段が受信した前記印刷情報の中の前記指定情報にモノクロ形式で画像出力すべき旨が含まれているときは、前記画像処理手段に対し、カラー印刷する場合に必要となる画像処理にかかわる事前の処理を禁止させる制御を実行する、ことを特徴とする。
【００１３】
請求項７に記載の発明は、上記請求項３〜６の何れか一項に記載の発明において、原稿を光学的に読み取り該読み取り結果に基づき画像データを生成する画像読取手段、を更に備え、前記制御手段は、前記画像読取手段が当該画像読取手段にかかわる規定の電力の供給が停止されている状態を示す省電力モードで待機しているときに、前記通信手段が前記印刷情報を受信したときは、当該画像読取手段にかかわる初期化を禁止させる制御を実行する、ことを特徴とする。
【００１４】
請求項８に記載の発明は、上記請求項３〜７の何れか一項に記載の発明において、前記画像形成手段による画像形成が実施された結果としての印刷物に対する後処理を実施する後処理手段、を更に備え、前記制御手段は、前記後処理手段が当該後処理手段にかかわる規定の電力の供給が停止されている状態を示す省電力モードで待機しているときに、前記通信手段が前記印刷情報を受信したときは、当該後処理手段にかかわる初期化を禁止させる制御を実施する、ことを特徴とする。
【００１５】
請求項９に記載の発明は、上記請求項３〜７の何れか一項に記載の発明において、前記画像形成手段による画像形成が実施された結果としての印刷物に対する後処理を実施する後処理装置が、当該画像形成装置に対応して当該印刷物に対する後処理が実施可能に装着されている場合、前記制御手段は、前記後処理装置が当該後処理装置にかかわる規定の電力の供給が停止されている状態を示す省電力モードで待機しているときに、前記通信手段が前記印刷情報を受信したときは、当該後処理装置にかかわる初期化を禁止させる制御を実施する、ことを特徴とする。
【００１６】
上記課題を解決するため、請求項１０に記載の本発明の画像形成システムは、ファックス機能を含む複数の画像形成機能を有する画像形成装置と、前記画像形成装置から出力され画像形成の結果としての印刷物に対する後処理を実施する後処理装置と、を有し、前記画像形成装置は、原稿を光学的に読み取り該読み取り結果に基づき画像データを生成する画像読取手段と、画像形成対象の画像データにかかわる画像出力に関する指定情報を取得する取得手段と、前記複数の画像形成機能のそれぞれに対応して画像処理を実行する画像処理手段と、前記画像処理手段による画像処理の結果を基に、供給される記録媒体に画像形成を施す画像形成手段と、記録媒体を収容し前記画像形成手段に対し当該収容している記録媒体を供給する複数の記録媒体供給手段と、前記後処理装置、前記画像読取手段、前記複数の記録媒体供給手段、前記画像形成手段および前記画像処理手段の各構成要素が当該構成要素ごとの規定の電力の供給が停止されている状態を示す省電力モードで待機しているときに、画像形成すべき事象が発生したときは、前記後処理装置、前記画像読取手段、前記複数の記録媒体供給手段、前記画像形成手段および前記画像処理手段のそれぞれにかかわる初期化対象の要素の中で前記取得手段が取得した指定情報に基づき決定される要素を初期化させる制御を実行する制御手段と、を有することを特徴とする。
【００１７】
請求項１１に記載の発明は、上記請求項１０に記載の発明において、前記画像形成装置は、相手装置とのファクシミリ通信により画像データと該画像データにかかわる画像出力に関する指定情報とを含む印刷情報を受信する通信手段、を更に備え、前記取得手段は、前記通信手段が受信した前記印刷情報から前記指定情報を取得し、前記制御手段は、前記取得手段が取得した前記指定情報に基づき、前記画像読取手段にかかわる初期化を禁止させる制御、前記後処理装置にかかわる初期化を禁止させる制御、前記複数の記録媒体供給手段の中の前記通信手段が受信した前記印刷情報に含まれる前記指定情報の中のサイズ情報に基づく記録媒体を収容している記録媒体供給手段以外の記録媒体供給手段にかかわる初期化を禁止させる制御、前記通信手段が受信した前記印刷情報の中の前記指定情報にモノクロ形式で画像出力すべき旨が含まれているときは、前記画像形成手段に対してのカラー印刷する場合に必要となる画像形成にかかわる事前の処理を禁止させる制御、前記通信手段が受信した前記印刷情報の中の前記指定情報にモノクロ形式で画像出力すべき旨が含まれているときは、前記画像処理手段に対してのカラー印刷する場合に必要となる画像処理にかかわる事前の処理を禁止させる制御、の５つの制御のうち１つ以上の制御を実行する、ことを特徴とする。
【００１８】
上記課題を解決するため、請求項１２に記載の本発明の画像形成制御プログラムは、画像形成装置が画像形成の実施が可能な規定の電力より少ない電力が供給される状態を示す省電力モードで待機しているときに、画像形成すべき事象が発生したときは、初期化対象の要素の中で当該画像形成装置にかかわる複数の画像形成機能のうち特定の画像形成機能に応じた要素を初期化させる制御を実行する制御処理過程、をコンピュータに実行させることを特徴とする。
【発明の効果】
【００１９】
請求項１記載の発明によれば、本構成を有しない場合に比較して、省電力モードで待機している状態において画像形成すべき事象が発生した場合の初期化動作に伴い発生する音を抑制することができる。
【００２０】
請求項２記載の発明によれば、本構成を有しない場合に比較して、ファックス機能、プリント機能、またはコピー機能に対応する画像形成の対象となるデータを画像形成出力する場合の初期化動作に伴い発生する音を抑制することができる。
【００２１】
請求項３記載の発明によれば、本構成を有しない場合に比較して、省電力モードで待機している状態においてファクシミリ通信により印刷情報を受信した場合の初期化動作に伴い発生する音を抑制することができる。
【００２２】
請求項４記載の発明によれば、本構成を有しない場合に比較して、指定されるサイズ情報に基づく記録媒体を収容している記録媒体供給手段を初期化させることができる。
【００２３】
請求項５記載の発明によれば、モノクロ形式で画像出力するときは、カラー印刷する場合に必要となる画像形成にかかわる事前の処理を省略することができる。
【００２４】
請求項６記載の発明によれば、本構成を有しない場合に比較して、モノクロ形式で画像出力するときは、カラー印刷する場合に必要となる画像処理にかかわる事前の処理を省略することができる。
【００２５】
請求項７記載の発明によれば、本構成を有しない場合に比較して、画像読取手段にかかわる初期化を省略することができる。
【００２６】
請求項８記載の発明によれば、本構成を有しない場合に比較して、画像形成装置に備えられる後処理手段にかかわる初期化を省略することができる。
【００２７】
請求項９記載の発明によれば、本構成を有しない場合に比較して、画像形成装置と接続される後処理装置にかかわる初期化を省略することができる。
【００２８】
請求項１０記載の発明によれば、本構成を有しない場合に比較して、省電力モードで待機している状態において画像形成すべき事象が発生した場合の初期化動作に伴い発生する音を抑制することができる。
【００２９】
請求項１１記載の発明によれば、本構成を有しない場合に比較して、印刷情報に含まれる指定情報を基に初期化対象の要素にかかわる初期化または事前の処理を省略することができる。
【００３０】
請求項１２記載の発明によれば、本構成を有しない場合に比較して、省電力モードで待機している状態において画像形成すべき事象が発生した場合の初期化動作に伴い発生する音を抑制させるソフトウェアを提供することができる。
【発明を実施するための最良の形態】
【００３１】
以下、本発明の実施の形態を図面に基づいて詳細に説明する。なお、実施の形態を説明するための図面において同一の構成要素には原則として同一の符号を付し、その繰り返しの説明は省略する。
【００３２】
図１は、実施の形態に係る画像形成システムの機能構成を示している。
【００３３】
画像形成システム１は、画像形成装置１０、複数の給紙装置２０，３０、複数の後処理装置４０，５０、およびＩ／Ｏインタフェース装置６０を有している。
【００３４】
画像形成装置１０は、コントローラ１００、画像読取部１１０、画像出力装置１２０、操作パネル１３０、複数の通信部１４０，１５０、および電源部１６０を有している。
【００３５】
コントローラ１００は、取得部１０１、画像処理部１０２、記憶部１０３、および制御部１０４を有している。
【００３６】
取得部１０１は、画像形成対象の画像データにかかわる画像出力に関する指定情報を取得する。
【００３７】
画像処理部１０２は、例えばファックス機能、プリント機能、コピー機能、スキャン機能など複数の画像形成機能のそれぞれに対応して画像処理を実行する。この画像処理には、ページ記述言語（ＰＤＬ）で記述されたデータ（ＰＤＬデータ）の解釈処理、この解釈処理の結果に対する色変換処理、階調補正処理、およびスクリーン処理（網点生成処理）などが含まれる。
【００３８】
ファックス機能は、ＦＡＸ通信相手装置７０とのファクシミリ通信により受信された画像データに基づき画像形成を実施する機能である。
【００３９】
プリント機能は、コンピュータ９０とのデータ通信により受信された印刷データに基づき画像形成を実施する機能である。
【００４０】
コピー機能は、操作パネル１３０によってコピー指示が行われた場合に、画像読取部１１０が原稿を光学的に読み取りこの読み取りの結果に基づき画像データを生成したときに、この画像データに基づき画像形成を実施する機能である。
【００４１】
スキャン機能は、画像読取部１１０によるスキャン指示された場合に、画像読取部１１０が原稿を光学的に読み取りこの読み取りの結果に基づき画像データを生成する機能である。
【００４２】
実施の形態では、取得部１０１は、当該取得部１０１の機能を実現させるためのソフトウェア（プログラム）を後述する制御部１０４が実行することにより実現されるようになっている。また、画像処理部１０２は、当該画像処理部１０２の機能を実現させるためのソフトウェア（プログラム）を後述する制御部１０４が実行することにより実現されるようになっている。
【００４３】
記憶部１０３は、取得部１０１の機能を実現させるためのソフトウェア（プログラム）、画像処理部１０２の機能を実現させるためのソフトウェア（プログラム）、画像処理部１０２による画像処理の途中結果や最終結果、制御部１０４による初期化制御処理に関する情報などを記憶する。この初期化制御処理に関する情報には、図４に示す順序シーケンスデータ１０００が含まれる。
【００４４】
順序シーケンスデータ１１００は、図４に示すように、画像読取部（画像読取装置）にかかわる初期化状態を示す情報（以下「初期化状態情報」という。）１１００、給紙部にかかわる初期化状態情報１２００、後処理装置（フィニッシャー）にかかわる初期化状態情報１３００、プロセス制御にかかわる事前のセットアップ状態を示す情報（以下「事前セットアップ状態情報」という）１４００から構成されている。
【００４５】
制御部１０４は、電源部１６０を制御して、当該画像形成システム１（狭義では画像形成装置１０）の状態を、画像形成の実施が可能な規定の電力より少ない電力が供給される状態を示す省電力モード、または規定の電力が供給される状態を示す通常電力モードに移行させる。
【００４６】
また、制御部１０４は、省電力モードで待機しているときに、画像形成すべき事象が発生したときは、給紙装置２０，３０、後処理装置４０，５０、画像読取部１１０、画像出力装置１２０、およびコントローラ１００の画像処理部１０２のそれぞれにかかわる初期化対象の要素の中で取得部１０１が取得した上記指定情報に基づき決定される要素を初期化させる制御（以下「初期化制御処理」という。）を実行する。
【００４７】
また、制御部１０４は、上記初期化制御処理の結果つまり初期化対象の要素が初期化またはセットアップされたか否かに応じて、順序シーケンスデータ１０００を更新する。例えば、制御部１０４は、順序シーケンスデータ１０００の予め設定される記述領域に、初期化対象の要素ごとに、初期化またはセットアップされない場合には未実施である旨を、また初期化またはセットアップされた場合は実施済である旨をそれぞれ記述する。
【００４８】
実施の形態において、画像形成すべき事象とは、次の（１）から（３）の３つの事象が含まれる。
【００４９】
（１）通信部１４０がＦＡＸ通信相手装置７０とのファクシミリ通信により画像データと該画像データにかかわる画像出力に関する指定情報とを含む印刷情報を受信し、コントローラ１００が、通信部１４０から印刷情報（受信データ）を受け取ること。
【００５０】
上記画像データにかかわる画像出力に関する指定情報には、給紙部を示す情報、画像が印刷された記録媒体（印刷物）の排出先としての排出部を示す情報、印刷サイズ（プリントサイズ）を示す情報、およびカラーモードを示す情報が含まれる。
【００５１】
なお、給紙部を示す情報とは、用紙サイズを示す情報および紙質を示す情報である。
【００５２】
また、カラーモードを示す情報とは、カラーまたはモノクロを示す情報である。モノクロを示す情報はモノクロ形式で画像出力すべき旨を意味する。
【００５３】
（２）通信部１５０がプリントサーバ８０とのデータ通信によりコンピュータ９０からのプリント指示（印刷データと該印刷データにかかわる画像出力に関する指定情報とを含む印刷要求）を受信し、コントローラ１００が、通信部１５０から印刷要求を受け取ること。
【００５４】
上記印刷データにかかわる画像出力に関する指定情報は、給紙部を示す情報（用紙サイズを示す情報および紙質を示す情報）、画像が印刷された記録媒体（印刷物）の排出先としての排出部を示す情報、後処理方法を示す情報、印刷サイズ（プリントサイズ）を示す情報を示す情報、およびカラーモード（カラーまたはモノクロ）を示す情報が含まれる。
【００５５】
なお、後処理方法を示す情報とは、パンチ、ステープル、スタッカー、およびオフセットの何れかの後処理機能を示す情報である。
【００５６】
（３）コントローラ１００が、操作パネル１３０から入力されるコピー指示の入力情報を受け取ること。
【００５７】
すなわち、制御部１０４は、当該画像形成システム１（狭義では画像形成装置１０）の状態が省電力モードのときに、画像形成すべき事象が発生したときは、初期化制御処理（初期化させる制御）を実行する。
【００５８】
ところで、制御部１０４は、上記（１）の画像形成すべき事象が発生した場合、後処理装置４０および後処理装置５０に対する制御を実施するときは、上記指定情報に基づき、制御対象の後処理装置を示す識別情報を含む制御情報（命令情報）を生成し、この制御情報を、画像出力装置１２０へ出力する。
【００５９】
画像出力装置１２０が、受け取った制御情報をＩ／Ｏインタフェース装置６０に向けて出力すると、Ｉ／Ｏインタフェース装置６０は、画像出力装置１２０を介して制御部１０４からの制御情報を受け取ったときは、当該制御情報（命令情報）を、当該制御情報に含まれる後処理装置を示す識別情報に基づき決定される後処理装置に向けて出力する。
【００６０】
この場合、後処理装置に対する制御のための制御情報には、後処理装置を示す識別情報、および電力の供給の停止を継続すべき旨が、また画像が印刷された記録媒体（印刷物）の排出先としての排出部が指定されている場合は当該排出部を示す情報が、含まれる。
【００６１】
また、制御部１０４は、上記（２）の画像形成すべき事象が発生した場合、後処理装置４０または後処理装置５０に対する制御を実施するときは、上記指定情報に基づき、制御対象の後処理装置を示す識別情報を含む制御情報（命令情報）を生成し、画像出力装置１２０へ出力する。
【００６２】
画像出力装置１２０が、受け取った制御情報をＩ／Ｏインタフェース装置６０に向けて出力すると、Ｉ／Ｏインタフェース装置６０は、画像出力装置１２０を介して制御部１０４からの制御情報を受け取ったときは、当該制御情報（命令情報）を、当該制御情報に含まれる後処理装置を示す識別情報に基づき決定される後処理装置に向けて出力する。
【００６３】
この場合、後処理装置に対する制御のための制御情報には、後処理装置を示す識別情報、および後処理方法（パンチ、ステープル、スタッカー、またはオフセット）を示す情報が、また画像が印刷された記録媒体（印刷物）の排出先としての排出部が指定されている場合は当該排出部を示す情報が、含まれる。
【００６４】
また、制御部１０４は、給紙装置２０または給紙装置３０に対する制御を実施するときは、画像データまたは印刷データにかかわる画像出力に関する指定情報に基づき、制御対象の給紙装置を示す識別情報を含む制御情報（命令情報）を生成し、この制御情報を、画像出力装置１２０へ出力する。
【００６５】
そして、画像出力装置１２０は、制御部１０４から制御情報（命令情報）を受け取ったときは、当該制御情報（命令情報）に含まれる給紙装置を示す識別情報に基づき決定される給紙装置に対し、当該指定情報で指定される用紙を画像形成装置１０の画像出力装置１２０に向けて供給するよう制御する。
【００６６】
この場合、指定情報のうち給紙部を示す情報（用紙サイズを示す情報および紙質を示す情報）を基に給紙紙装置が決定される。
【００６７】
給紙装置に対する制御のための制御情報には、給紙装置を示す識別情報と、給紙部を示す情報とが含まれる。
【００６８】
さらに、制御部１０４は、給紙部を示す情報（用紙サイズを示す情報および紙質を示す情報）を基に決定される用紙を収容している給紙部が画像出力装置１２０に備えられている給紙部に存在する場合、当該給紙部を示す情報を、画像出力装置１２０へ出力する。
【００６９】
なお、初期化対象の要素の詳細については後述する。
【００７０】
画像読取部１１０は、スキャナ１１１および制御部１１２を有している。
【００７１】
スキャナ１１１は、照明光源、光学系、リニアイメージセンサ例えばＣＣＤ（電荷結合素子）ラインセンサなどを含む読み取りユニット（キャリッジ）を備え、自動原稿送り装置（図示せず）から送り出される原稿または原稿台ガラス（図示せず）に置かれた原稿を、前記キャリッジを副走査方向に移動させながら光学的に読み取り、この読み取りの結果である光学信号を電気信号に変換し、この変換した結果（画像データ）を制御部１１２に向けて出力する。
【００７２】
制御部１１２は、スキャナ１１１によるスキャン動作の制御、スキャナ１１１からの原稿の画像データ（ページ単位の画像データ）を取り込んでコントローラ１００へ出力する。
【００７３】
画像出力装置１２０は、画像処理部１０２による画像処理の結果を基に、供給される記録媒体に画像形成を実施する。
【００７４】
画像出力装置１２０は、図２に示すように、制御部１２１、複数の給紙部１２２，１２３、画像形成部１２４、排出部１２５を有している。
【００７５】
複数の給紙部１２２，１２３は、記録媒体を収容し画像形成部１２４に対し当該収容している記録媒体を供給する。実施の形態では、記録媒体として用紙を採用するものとする。
【００７６】
なお、給紙部１２２，１２３には、例えばＡ４サイズ、Ａ３サイズなど異なる用紙サイズの用紙、同一の用紙サイズであっても異なる紙質の用紙、同一の用紙サイズで同一の紙質の用紙などが収容される。紙質としては、普通紙、厚紙、再生紙、上質紙、薄紙、コート紙などが挙げられる。
【００７７】
画像形成部１２４は、画像形成処理を実施するものであり、静電潜像が形成される感光体（図示せず）、該感光体にトナー像を形成する現像部（図示せず）、該トナー像を用紙に転写する転写部（図示せず）、ヒータなど発熱体によって、トナー像が転写された用紙の当該トナー像を当該用紙に定着させる定着部（図示せず）など、電子写真プロセスを実行するユニットを有している。
【００７８】
なお、実施の形態では、画像形成部１２４は、上記感光体、上記現像器の現像ローラ、用紙を搬送する搬送ローラなど画像形成の実行時に稼働すべきユニット（あるいは構成要素）を駆動（回転駆動）する駆動部（図示せず）と、前記感光体、前記現像器、前記搬送ローラ、前記駆動部など画像形成の実行時に稼働すべきユニット（あるいは構成要素）を制御する機械制御部（図示せず）とを備えている。
【００７９】
このような画像形成部１２４は、画像処理部１０２による画像処理の結果を基に、給紙部１２２、給紙部１２３、給紙装置２０の後述する給紙部２２０，２３０、または給紙装置３０の後述する給紙部２２０，２３０（給紙装置２０と同様の構成）のうち指定される給紙部から供給される用紙（記録媒体）に画像形成を施すとともに、画像形成の結果（印刷物）を排出先と指定される排出部例えば排出部１２５に向けて出力する。
【００８０】
排出部１２５は、排出（出力）される印刷物を受け入れるものであり、画像出力装置１２０の予め定められた位置に、印刷物を取り出し可能に配設されている。
【００８１】
制御部１２１は、コントローラ１００（の制御部１０４）の制御に従って、画像形成部１２４に対し画像データ（ページデータ）を渡して画像形成を実施するよう制御するとともに、制御部１０４から出力された給紙部を示す情報（用紙サイズを示す情報および紙質を示す情報）を受け取ったときは、当該給紙部を示す情報を基に給紙部１２２または給紙部１２３に対し用紙を供給するよう制御する。
【００８２】
また、制御部１２１は、コントローラ１００（の制御部１０４）から出力される給紙装置に対する制御のための制御情報（給紙装置を示す識別情報、および給紙部を示す情報）を受け取ったときは、当該制御情報（命令情報）に含まれる給紙装置を示す識別情報に基づき決定される給紙装置に対し、当該指定情報で指定される用紙を画像形成装置１０の画像出力装置１２０に向けて供給するよう制御する。
【００８３】
また、制御部１２１は、コントローラ１００（の制御部１０４）から出力される後処理装置に対する制御のための制御情報を受け取ったときは、当該制御情報をＩ／Ｏインタフェース装置６０に向けて出力する。
【００８４】
さらに、制御部１２１は、画像出力装置１２０全体を制御する。
【００８５】
ところで、画像形成システム１（狭義では画像形成装置１０）が通常電力モードのときは、電源部１６０は、コントローラ１００の制御部１０４の制御に従って、制御部１２１、複数の給紙部１２２，１２３、および画像形成部１２４の各構成要素に対し、それぞれの構成要素が動作するのに適した規定の電力（電源電圧）を供給する。
【００８６】
これに対し、画像形成システム１（狭義では画像形成装置１０）の状態が省電力モードのときは、電源部１６０は、コントローラ１００の制御部１０４の制御に従って、複数の給紙部１２２，１２３、および画像形成部１２４に対しては、規定の電力（電源電圧）の供給を停止する。これは、電源部１６０からの電源が遮断されることを意味する。
【００８７】
再度、図１を参照して説明する。操作パネル１３０は、ユーザインタフェースの機能を果たすものであり、コピー指示など入力情報を入力する入力部と、この入力部による入力の内容や画像形成装置の状態を示す状態情報など表示情報を表示する表示部と、を有している。
【００８８】
例えば、操作パネル１３０の入力部から入力された入力情報（コピー指示）はコントローラ１００に与えられる。また、操作パネル１３０の表示部はコントローラ１００から与えられる表示情報を表示する。
【００８９】
通信部１４０は、通信回線７１を介してＦＡＸ通信相手装置７０と接続され、ＦＡＸ通信相手装置７０とのファクシミリ通信を行う。
【００９０】
通信部１５０は、通信回線８１を介してプリントサーバ８０と接続され、プリントサーバ８０とのデータ通信を行う。
【００９１】
電源部１６０は、コントローラ１００の制御部１０４の制御の下、コントローラ１００、画像読取部１１０、画像出力装置１２０、操作パネル１３０、通信部１４０、および通信部１５０の各構成要素に対し、それぞれの構成要素が動作するのに適した規定の電力（電源電圧）を供給するとともに、当該各構成要素の全部または一部に対し電力の供給を停止する。
【００９２】
画像形成システム１の状態が通常電力モードのときは、電源部１６０は、コントローラ１００、画像読取部１１０、画像出力装置１２０、操作パネル１３０、通信部１４０、および通信部１５０の全てに対し、規定の電力（電源電圧）を供給する。
【００９３】
一方、画像形成システム１の状態が省電力モードのときは、電源部１６０は、画像読取部１１０、操作パネル１３０に対しては、規定の電力（電源電圧）の供給を停止する。これは、電源部１６０からの電源が遮断されることを意味する。
【００９４】
なお、画像処理部１０２は上述したように制御部１０４がソフトウェアを実行することにより実現されるものなので、省電力モードのときは、制御部１０４により実現される画像処理部１０２の機能の一部が制限されるようになっている。
【００９５】
ちなみに、省電力モードのときは、通信部１４０，１５０、記憶部１０３、および制御部１０４については、画像形成すべき事象が発生したことを検知（認識）するため、および最低限の画像処理を実施するために、規定の電力（電源電圧）が供給される。
【００９６】
具体的には、制御部１０４が、省電力モードであっても、記憶部１０３から取得部１０１の機能を実現させるためのソフトウェアおよび画像処理部１０２の機能を実現させるためのソフトウェアを読み出して実行することにより、取得部１０１の機能、および画像処理部１０２の機能（機能の一部が制限されている）を実現する。
【００９７】
ＦＡＸ通信相手装置７０は、ファックス装置、ファックス機能を有する画像形成装置などファクシミリ通信を行う通信装置であり、上記印刷情報（画像データおよび指定情報）を、例えば通信回線７１を介して画像形成装置１０に向けて送信する。
【００９８】
通信回線７１としては、電話回線、ファクシミリ通信網（ＰＳＴＮ）、ファクシミリ通信網（ＩＳＤＮ）、ネットワーク、インターネットなどが挙げられる。
【００９９】
コンピュータ９０は、印刷要求（印刷データおよび指定情報）を、例えば通信回線９１を介してプリントサーバ８０に向けて送信する。
【０１００】
プリントサーバ８０は、通信回線を介して複数のクライアント例えばコンピュータと接続されるとともに、通信回線８１を介して、複数のクライアントによって共有される画像形成装置１０（の通信部１５０）と接続される。
【０１０１】
このようなプリントサーバ８０は，印刷依頼したクライアントとしてのコンピュータ９０と通信回線９１を介して接続された場合、当該コンピュータ９０からの印刷要求（印刷データおよび指定情報）を受け付けるとともに、画像形成装置１０の使用状態（印刷処理中なので印刷処理受付不可能、印刷処理受付可能）を監視し、画像形成装置１０が印刷処理受付可能な状態のときに、コンピュータ９０からの印刷要求を画像形成装置１０に向けて送信する。
【０１０２】
通信回線８１としては、ＬＡＮ（ローカルエリアネットワーク）などが挙げられる。
【０１０３】
通信回線９１としては、電話回線、ＬＡＮなど有線通信回線、無線ＬＡＮなど無線通信回線、さらにはこれらの通信回線を組み合わせたものなどが挙げられる。
【０１０４】
給紙装置２０，３０は、図２に示すように、制御部２１０、複数の給紙部２２０，２３０、および電源部２４０を有している。ここでは、給紙装置２０の各構成要素ついて説明するが、給紙装置３０の各構成要素も給紙装置２０と同様の機能および構造を有している。
【０１０５】
給紙部２２０，２３０は、上述した給紙部１２２，１２３の場合と同様に、記録媒体を収容し画像出力装置１２０の画像形成部１２４に対し当該収容している記録媒体を供給する。実施の形態では、記録媒体として用紙を採用するものとする。
【０１０６】
なお、給紙部２２０，２３０は、給紙部１２２，１２３が収容可能な用紙の規定の枚数（収容枚数）よりも多い規定の枚数（収容枚数）の用紙を収容する構造になっている。このことは、給紙装置２０，３０は、画像形成装置１０（の画像出力装置１２０）に設けられている給紙部と比較して、大容量の給紙装置（Ｈｉｇｈ  Ｃａｐａｃｉｔｙ  Ｆｅｅｄｅｒ）であると言える。
【０１０７】
電源部２４０は、制御部２１０の制御に従って、制御部２１０、複数の給紙部２２０，２３０の各構成要素に対し、それぞれの構成要素が動作するのに適した規定の電力（電源電圧）を供給するとともに、当該各構成要素の全部または一部に対し電力の供給を停止する。
【０１０８】
画像形成システム１の状態が通常電力モードのときは、電源部２４０は、制御部２１０、複数の給紙部２２０，２３０に対し、それぞれの構成要素が動作するのに適した規定の電力（電源電圧）を供給する。
【０１０９】
一方、画像形成システム１の状態が省電力モードのときは、電源部２４０は、複数の給紙部２２０，２３０に対しては、規定の電力（電源電圧）の供給を停止する。これは、電源部２４０からの電源が遮断されることを意味する。
【０１１０】
なお、制御部２１０については、コントローラ１００の制御部１０４の命令を受け付ける必要があることから、規定の電力（電源電圧）は供給されるようになっている。
【０１１１】
制御部２１０は、画像出力装置１２０の制御部１２１の制御に従って、電源部２４０に対し電力（電源電圧）の供給に関する制御を実施するとともに、給紙部を示す情報（用紙サイズを示す情報および紙質を示す情報）を基に給紙部２２０または給紙部２３０に対し用紙を供給するよう制御する。また、制御部２１０は、給紙装置２０全体を制御する。
【０１１２】
Ｉ／Ｏインタフェース装置６０は、画像出力装置１２０の制御部１２１からの制御情報（命令情報）を受け取り、この受け取った制御情報を、当該制御情報に含まれる後処理装置を示す識別情報に基づき決定される後処理装置４０または後処理装置５０へ出力する。
【０１１３】
複数の後処理装置４０，５０は、画像形成装置１０から出力され画像形成の結果としての印刷物（画像が印刷された記録媒体）に対する後処理を実施する。
【０１１４】
後処理装置４０は、図３に示すように、制御部４１０、排出部４２０、スタッカー機構部４３０、および電源部４４０を有している。
【０１１５】
排出部４２０は、画像形成装置１０の画像出力装置１２０によって画像形成された画像形成結果としての印刷物を受け入れるものであり、後処理装置４０の予め定められた位置に、印刷物を取り出し可能に配設されている。例えば、排出部４２０は、後処理装置４０の上部の予め定められた位置に配設されている。
【０１１６】
スタッカー機構部４３０は、画像形成装置１０の画像出力装置１２０によって画像形成された画像形成結果としての印刷物を受け入れる排出部を垂直方向に移動させるとともに、当該印刷物を規定の位置に達した状態の排出部に向けて排出（出力）する。例えば、スタッカー機構部４３０は、出力される印刷物の枚数に応じて上記排出部を垂直方向に移動させる。
【０１１７】
電源部４４０は、制御部４１０の制御に従って、制御部４１０、スタッカー機構部４３０の各構成要素に対し、それぞれの構成要素が動作するのに適した規定の電力（電源電圧）を供給するとともに、当該各構成要素の全部または一部に対し電力の供給を停止する。
【０１１８】
制御部４１０は、Ｉ／Ｏインタフェース装置６０からの制御情報（命令情報）に基づき、電源部４４０に対し電力（電源電圧）の供給に関する制御を実施するとともに、スタッカー機構部４３０に対する初期化処理または後処理を実施するよう制御する。また、制御部４１０は、後処理装置４０全体を制御する。
【０１１９】
画像形成システム１の状態が通常電力モードのときは、電源部４４０は、制御部４１０、スタッカー機構部４３０に対し、それぞれの構成要素が動作するのに適した規定の電力（電源電圧）を供給する。
【０１２０】
一方、画像形成システム１の状態が省電力モードのときは、電源部４４０は、スタッカー機構部４３０に対しては、規定の電力（電源電圧）の供給を停止する。これは、電源部４４０からの電源が遮断されることを意味する。
【０１２１】
なお、制御部４１０については、Ｉ／Ｏインタフェース装置６０を介して画像出力装置１２０の制御部１２１からの命令を受け付ける必要があることから、規定の電力（電源電圧）は供給されるようになっている。
【０１２２】
後処理装置５０は、図３に示すように、制御部５１０、排出部５２０、パンチ機構部５３０、ステープル機構部５４０、スタッカー機構部５５０、オフセット機構部５６０、および電源部５７０を有している。
【０１２３】
排出部５２０は、画像形成装置１０の画像出力装置１２０によって画像形成された画像形成結果としての印刷物を受け入れるものであり、後処理装置５０の予め定められた位置に、印刷物を取り出し可能に配設されている。例えば、排出部５２０は、後処理装置５０の上部の予め定められた位置に配設されている。
【０１２４】
パンチ機構部５３０は、画像形成装置１０の画像出力装置１２０によって画像形成された画像形成結果としての印刷物に対しパンチ穴を開ける処理（後処理）を実施し、当該後処理後の印刷物を、後処理後の印刷物を受け入れる排出部に向けて排出（出力）する。
【０１２５】
パンチ機構部５３０にかかわる初期化動作は、パンチ穴を開ける機構部を予め設定される位置に移動させる動作である。
【０１２６】
ステープル機構部５４０は、画像形成装置１０の画像出力装置１２０によって画像形成された画像形成結果としての印刷物に対しステープル（ホチキス止め）する処理（後処理）を実施し、当該後処理後の印刷物を、後処理後の印刷物を受け入れる排出部に向けて排出（出力）する。このステープル機構部５４０は、ステープル（ホチキス止め）する処理するためのステープルヘッド（図示せず）を有している。
【０１２７】
ステープル構造部５４０にかかわる初期化動作は、ステープルヘッドを予め設定される位置に移動させる動作である。
【０１２８】
スタッカー機構部５５０は、画像形成装置１０の画像出力装置１２０によって画像形成された画像形成結果としての印刷物を受け入れる排出部を垂直方向に移動させるとともに、当該印刷物を規定の位置に達した状態の排出部に向けて排出（出力）する。例えば、スタッカー機構部５５０は、出力される印刷物の枚数に応じて上記排出部を垂直方向に移動させる。
【０１２９】
スタッカー機構部５５０にかかわる初期化動作は上記排出部を予め設定される位置に移動（垂直方向に移動）させる動作である。
【０１３０】
オフセット機構部５６０は、画像形成装置１０の画像出力装置１２０によって画像形成された画像形成結果としての印刷物を担持する部材を水平方向に移動させるとともに、この水平方向に移動された状態の担持する部材上の印刷物を排出部に向けて排出（出力）する。例えば、オフセット機構部５６０は、出力される印刷物の部数に応じて、１部数の印刷物を排出（出力）する毎に上記担持する部材を水平方向に移動させる。これにより、出力される印刷物は互い水平方向にずれた状態で排出部に排出される。
【０１３１】
オフセット機構部５６０にかかわる初期化動作は上記担持する部材を予め設定される位置に移動（水平方向に移動）させる動作である。
【０１３２】
電源部５７０は、制御部５１０の制御に従って、制御部５１０、パンチ機構部５３０、ステープル機構部５４０、スタッカー機構部５５０、およびオフセット機構部５６０の各構成要素に対し、それぞれの構成要素が動作するのに適した規定の電力（電源電圧）を供給するとともに、当該各構成要素の全部または一部に対し電力の供給を停止する。
【０１３３】
画像形成システム１の状態が通常電力モードのときは、電源部５７０は、制御部５１０、パンチ機構部５３０、ステープル機構部５４０、スタッカー機構部５５０、およびオフセット機構部５６０の各構成要素に対し、それぞれの構成要素が動作するのに適した規定の電力（電源電圧）を供給する。
【０１３４】
一方、画像形成システム１の状態が省電力モードのときは、電源部５７０は、パンチ機構部５３０、ステープル機構部５４０、スタッカー機構部５５０、およびオフセット機構部５６０の各構成要素に対しては、規定の電力（電源電圧）の供給を停止する。これは、電源部５７０からの電源が遮断されることを意味する。
【０１３５】
なお、制御部５１０については、Ｉ／Ｏインタフェース装置６０を介して画像出力装置１２０の制御部１２１からの命令を受け付ける必要があることから、規定の電力（電源電圧）は供給されるようになっている。
【０１３６】
制御部５１０は、Ｉ／Ｏインタフェース装置６０からの制御情報（命令情報）に基づき、電源部５７０に対し電力（電源電圧）の供給に関する制御を実施するとともに、パンチ機構部５３０、ステープル機構部５４０、スタッカー機構部５５０、またはオフセット機構部５７０に対する初期化処理または後処理を実施するよう制御する。また、制御部５１０は、後処理装置５０全体を制御する。
【０１３７】
図５は、上述した画像形成システム１の外観を示している。図５に示すように、画像形成装置１０には、給紙装置２０とＩ／Ｏインタフェース装置６０とが接続されている。給紙装置２０と給紙装置３０とはタンデム接続（直列接続）されている。Ｉ／Ｏインタフェース装置６０には後処理装置４０が接続され、後処理装置４０と後処理装置５０とはタンデム接続（直列接続）されている。
【０１３８】
実施の形態では、画像読取部１１０は画像読取手段の機能を有し、通信部１４０は通信手段の機能を有し、取得部１０１は取得手段の機能を有し、画像処理部１０２は画像処理手段の機能を有し、画像形成部１２４は画像形成手段の機能を有し、画像出力装置１２０の給紙部１２２，１２３、および給紙装置２０，３０の給紙部２２０，２３０は複数の記録媒体供給手段の機能を有し、コントローラ１００の制御部１０４は制御手段の機能を有する。
【０１３９】
なお、複数の記録媒体供給手段は、画像出力装置１２０の給紙部１２２および給紙部１２３、給紙装置２０の給紙部２２０および給紙部２３０、給紙装置３０の給紙部２２０および給紙部２３０のうち、２つ以上の給紙部であればよい。たとえば、給紙装置２０および給紙装置３０が存在しない場合、画像出力装置１２０の給紙部１２２および給紙部１２３が複数の記録媒体供給手段の機能を果たす。
【０１４０】
実施の形態に係る画像形成システム１の状態（狭義では画像形成装置１０の状態）が省電力モードのときは、上述したように画像形成装置１０、給紙装置２０，３０、後処理装置４０，５０は次のような状態になっている。
【０１４１】
画像形成装置１０においては、画像読取部１１０操作パネル１３０、画像出力装置１２０の給紙部１２２、給紙部１２３および画像形成部１２４の各構成要素に対しては電源が遮断されている。コントローラ１００の画像処理部１０２は、その機能の一部が制限されている。
【０１４２】
給紙装置２０においては、給紙部２２０および給紙部２３０の各構成要素に対しては電源が遮断されている。
【０１４３】
給紙装置３０においては、給紙装置２０の場合と同様に給紙部２２０および給紙部２３０の各構成要素に対しては電源が遮断されている。
【０１４４】
後処理装置４０においては、スタッカー機構部４３０の構成要素に対しては電源が遮断されている。
【０１４５】
後処理装置５０においては、パンチ機構部５３０、ステープル機構部５４０、スタッカー機構部５５０、およびオフセット機構部５６０の各構成要素に対しては電源が遮断されている。
【０１４６】
実施の形態に係る初期化対象の要素（以下「初期化対象要素」という。）について説明する。
【０１４７】
コントローラ１００においては、当該各構成要素のうち画像処理部１０２が初期化対象要素となる。
【０１４８】
画像読取部１１０においては、当該各構成要素のうちスキャナ１１１および制御部１１２が初期化対象要素となる。
【０１４９】
画像出力装置１２０においては、当該各構成要素のうち、画像形成部１２０、複数の給紙部１２３，１２４が初期化対象要素となる。
【０１５０】
給紙装置２０，３０においては、当該各構成要素のうち複数の給紙部２２０，２３０が初期化対象要素となる。
【０１５１】
後処理装置４０においては、当該各構成要素のうちスタッカー機構部４３０が初期化対象要素となる。
【０１５２】
後処理装置５０においては、当該各構成要素のうちパンチ機構部５３０、ステープル機構部５４０、スタッカー機構部５５０、オフセット機構部５６０が初期化対象要素となる。
【０１５３】
実施の形態では、省電力モードで待機しているときに、ファックス機能、プリント機能、コピー機能など特定の画像形成機能にかかわる画像形成すべき事象が発生したときは、上記複数の初期化対象要素のうち、当該特定の画像形成機能に応じた要素について初期化またはセットアップ（事前の処理）が行われる。
【０１５４】
次に、コントローラ１００の制御部１０４による初期化制御処理について、図６を参照して説明する。
【０１５５】
なお、図６は、その初期化制御処理の処理手順を示すフローチャートである。
【０１５６】
画像形成システム１の状態（狭義では画像形成装置１０の状態）が省電力モードであるとする。また、コントローラ１００の制御部１０４は、通常電力モードから省電力モードに移行した場合、記憶部１０３内の順序シーケンスデータ１０００の各初期化状態情報１１００、１２００，１３００、および事前セットアップ状態情報１４００の各ビット位置の値をリセットする（値が設定されていない状態にする）ものとする。
【０１５７】
さて、省電力モードの状態で待機している画像形成システム１において、画像形成装置１０の通信部１４０が、通信回線７１を介して、ＦＡＸ通信相手装置７０から送信されたファックスデータ（印刷情報）を受信した場合、この印刷情報をコントローラ１００に向けて出力する。
【０１５８】
上記印刷情報には、画像データと該画像データにかかわる画像出力に関する指定情報とが含まれている。この指定情報には、給紙部を示す情報（用紙サイズを示す情報および紙質を示す情報）、画像が印刷された記録媒体（印刷物）の排出先としての排出部を示す情報、印刷サイズを示す情報、およびカラーモード（この例ではモノクロ）を示す情報が含まれている。ちなみに、この指定情報には、画像読取部を使用する旨、後処理方法（後処理装置の後処理機能）の指定は含まれていない。
【０１５９】
コントローラ１００では、取得部１０１が、通信部１４０によって受信された印刷情報から指定情報を取得し、この指定情報を制御部１０４へ出力すると、制御部１０４は、受け取った指定情報を基に、起動するタスクを決定する。
【０１６０】
すなわち、制御部１０４は、上記指定情報を基に、画像読取部１１０を使用しないか否かを判断し（ステップＳ１０１）、この判断した結果、画像読取部１１０を使用しない場合は、起動するタスクとして第１のタスクに決定する（ステップＳ１０２）。
【０１６１】
制御部１０４は、ステップＳ１０１において画像読取部１１０を使用すると判断した場合、ステップＳ１０２を終了した場合、上記指定情報を基に、給紙部を示す情報（用紙サイズを示す情報および紙質を示す情報）を基に決定される用紙を提供すべき対象の給紙部が存在するか否かを判断し（ステップＳ１０３）、この判断した結果、対象の給紙部が存在する場合は、起動するタスクとして第２のタスクを決定する（ステップＳ１０４）。
【０１６２】
制御部１０４は、ステップＳ１０３において対象の給紙部が存在しないと判断した場合（例えば対象の給紙部が故障中である場合）、ステップＳ１０４を終了した場合、上記指定情報を基に、後処理機能（後処理装置）の指定があるか否かを判断し（ステップＳ１０５）、この判断した結果、後処理機能（後処理装置）の指定がない場合は、起動するタスクとして第３のタスクを決定する（ステップＳ１０６）。
【０１６３】
制御部１０４は、ステップＳ１０５において後処理機能（後処理装置）の指定があると判断した場合、ステップＳ１０６を終了した場合、上記指定情報を基に、カラーモードはモノクロであるか否かを判断し（ステップＳ１０７）、この判断した結果、カラーモードはモノクロ（モノクロ形式で画像出力すべき旨）である場合は、起動するタスクとして第４のタスクを決定する（ステップＳ１０８）。
【０１６４】
ここで、上記第１のタスク、上記第２のタスク、上記第３のタスクおよび上記第４のタスクについて説明する。
【０１６５】
上記第１のタスクは、図７（ａ）に示すように、（１）キャリッジ（読み取りユニット）のホームポジショニング動作を省略する制御、（２）キャリッジによる白基準板の読み込み補正を省略する制御、（３）次回のコピー時の予約つまり画像読取部にかかわる初期化状態情報１１００を更新する処理、を実行するものである。
【０１６６】
上記第２のタスクは、図７（ｂ）に示すように、（１）対象の給紙部のみスタック位置へリフトアップの初期化動作を実施する制御、（２）対象の給紙部以外の給紙部のリフトアップを省略する制御、（３）次回のプリント時の予約つまり給紙部にかかわる初期化状態情報１２００を更新する処理、を実行するものである。
【０１６７】
上記第３のタスクは、図７（ｃ）に示すように、（１）パンチ機構部の初期化動作を省略する制御、（２）ステープル機構部（ステープルヘッド）の初期化動作を省略する制御、（３）スタッカー機構部の初期化動作を省略する制御、（４）オフセット機構部の初期化動作を省略する制御、（５）次回のプリント時の予約つまり後処理装置にかかわる初期化状態情報１３００を更新する処理、を実行するものである。
【０１６８】
上記第４のタスクは、図７（ｄ）に示すように、（１）カラープリント（カラー印刷）で必要な電位合わせを省略する制御、（２）カラー画像（カラー印刷）で必要なＡＤＣ（Ａｕｔｏ  Ｄｅｎｓｉｔｙ  Ｃｏｎｔｒｏｌ：自動濃度制御）パッチの作成を省略する制御、（３）カラー画像（カラー印刷）で必要なＴＲＣ（Ｔｏｎｅ  Ｒｅｐｒｏｄｕｃｔｉｏｎ  Ｃｕｒｖｅ：階調再現曲線）の選定と設定を省略する制御、（４）次回のプリント時の予約つまりプロセス制御にかかわる事前セットアップ状態情報１４００を更新する処理、を実行するものである。
【０１６９】
再度、図６を参照して説明する。制御部１０４は、上述したようにして起動すべきタスクとして上記第１のタスク、上記第２のタスク、上記第３のタスクおよび上記第４のタスクを決定した場合、順序シーケンスの設定処理を実行する（ステップＳ１０９）。
【０１７０】
このステップＳ１０９での順序シーケンスの設定処理においては、制御部１０４は、上記第１のタスク、上記第２のタスク、上記第３のタスクおよび上記第４のタスクを順次に実行する。
【０１７１】
ステップＳ１０９を終了した制御部１０４は、予め設定された時間内にコピーまたはプリントの要求があるか否かを判断し（ステップＳ１１０）、この判断した結果、コピーまたはプリントの要求がない場合には、通常電力モードから省電力モードへ移行するための設定時間よりも早い設定時間で、省電力モードに移行させ（ステップＳ１１１）、この処理を終了する。
【０１７２】
ステップＳ１１０においてコピーまたはプリントの要求があると判断した制御部１０４は、順序シーケンスの設定処理を実行し（ステップＳ１１２）、その後、この処理を終了する。
【０１７３】
このステップＳ１１２での順序シーケンスの設定処理においては、制御部１０４は、上記ステップＳ１０９での順序シーケンスの設定処理のときに第１のタスク、上記第２のタスク、上記第３のタスクおよび上記第４のタスクを順次に実行したときに省略した初期化動作または事前のセットアップ動作を実施する。
【０１７４】
次に、コントローラ１００の制御部１０４が、上記第１のタスク、上記第２のタスク、上記第３のタスクおよび上記第４のタスクを順次、実行した場合の初期化制御処理について具体的に説明する。
【０１７５】
ここでは、上述した（１）の画像形成すべき事象が発生した場合（画像形成装置１０がファクシミリ通信により印刷情報を受信した場合）の初期化制御処理について説明する。
【０１７６】
前提条件として、画像形成装置１０が受信した印刷情報に含まれる指定情報には、給紙部を示す情報（用紙サイズを示す情報および紙質を示す情報）＝画像出力装置１２０の給紙部１２２が収容している用紙にかかわる給紙部を示す情報、画像が印刷された記録媒体（印刷物）の排出先としての排出部を示す情報＝後処理装置５０の排出部５２０、カラーモードを示す情報＝モノクロが含まれているとする。
【０１７７】
（第１のタスクの実行）
【０１７８】
コントローラ１００の制御部１０４は、第１のタスクを実行したときは、電源部１６０に対し、電力の供給が停止されている画像読取部１１０に対する電力の供給の停止を継続するよう制御する。
【０１７９】
これは、コントローラ１００の制御部１０４が、キャリッジ（読み取りユニット）のホームポジショニング動作を省略（初期化動作を省略）する制御、およびキャリッジによる白基準板の読み込み補正を省略（初期化動作を省略）する制御を実施していることを意味する。
【０１８０】
また、制御部１０４は、画像読取部にかかわる初期化状態情報１１００を更新する処理を実行する。すなわち、制御部１０４は、記憶部１０３内の画像読取部（画像読取装置）にかかわる初期化状態情報１１００の内容を、図８に示すように、ビット位置Ｂ１にホームポジショニング動作に関する状態情報を設定するとともに、ビット位置Ｂ２に白基準板の読み込みと補正に関する状態情報を設定する。
【０１８１】
ここで、ビット位置Ｂ１およびビット位置Ｂ２には、初期化動作が未実施の場合（初期化動作を省略した場合）には値「０」が設定され、一方、初期化動作を実施済の場合は値「１」が設定される。
【０１８２】
この例では、ビット位置Ｂ１およびビット位置Ｂ２にはそれぞれ値「０」が設定される。このようにビット位置に値「０」が設定された場合は、次回のコピー時の予約が行われたことを意味する。
【０１８３】
（第２のタスクの実行）
【０１８４】
コントローラ１００の制御部１０４は、第２のタスクを実行したときは、指定情報に含まれる給紙部を示す情報（用紙サイズを示す情報および紙質を示す情報）、すなわち画像出力装置１２０の給紙部１２２が収容している用紙にかかわる給紙部を示す情報を基に用紙を収容している給紙部を決定し、これを対象の給紙部とする。この例では対象の給紙部は画像出力装置１２０の給紙部１２２に決定される。
【０１８５】
制御部１０４は、上記対象の給紙部が画像出力装置１２０の給紙部１２２の場合には、電源部１６０に対し、電力の供給が停止されている給紙部１２２のみに当該給紙部１２２が動作するのに適した規定の電力（電源電圧）を供給するよう制御するとともに、画像出力装置１２０の制御部１２１に対し、給紙部を示す情報（画像出力装置１２０の給紙部１２２が収容している用紙にかかわる給紙部を示す情報）を出力する。制御部１２１は、当該給紙部を示す情報を基に、規定の電力が供給された給紙部１２２をスタック位置にリフトアップさせる制御を実施する。
【０１８６】
これにより、電源部１６０が給紙部１２２のみに規定の電力を供給することで、規定の電力が給紙部１２２に供給されると、制御部１２１は、給紙部を示す情報を基に決定され、規定の電力が提供された給紙部１２２をスタック位置にリフトアップさせる制御を実施する。
【０１８７】
すなわち、コントローラ１００の制御部１０４は、画像出力装置１２０の制御部１２１を通じて、給紙部１２２をスタック位置にリフトアップさせる制御を実施していることになる。
【０１８８】
ちなみに、この場合は、画像出力装置１２０の給紙部１２３、給紙装置２０の給紙部２２０，２３０および給紙装置３０の給紙部２２０，２３０は電力（電源電圧）の供給が停止されたままなので、これらの給紙部のリフトアップは実施されない。
【０１８９】
また、制御部１０４は、給紙部にかかわる初期化状態情報１２００を更新する処理を実行する。すなわち、制御部１０４は、記憶部１０３内の給紙部にかかわる初期化状態情報１２００の内容を、図９に示すように、ビット位置Ｂ１に第１の給紙部のリフトアップに関する状態情報を設定するとともに、ビット位置Ｂ２に第２の給紙部のリフトアップに関する状態情報を設定する。
【０１９０】
ここで、ビット位置Ｂ１およびビット位置Ｂ２には、初期化動作が未実施の場合（初期化動作を省略した場合）には値「０」が設定され、一方、初期化動作を実施済の場合は値「１」が設定される。
【０１９１】
なお、図９において、画像形成装置内の給紙部は、画像出力装置２０内の給紙部１２２および給紙部１２３を示す。ここで、第１の給紙部は給紙部１２２を示し、第２の給紙部は給紙部１２３を示す。
【０１９２】
また、第１の給紙装置（ＨＣＦ）は給紙装置２０を示す。ここで、第１の給紙部は給紙部２２０を示し、第２の給紙部は給紙部２３０を示す。
【０１９３】
また、第２の給紙装置（ＨＣＦ）は給紙装置３０を示す。ここで、第１の給紙部は給紙部２２０を示し、第２の給紙部は給紙部２３０を示す。
【０１９４】
この例では、画像形成装置内の給紙部に関しては、ビット位置Ｂ１には値「１」が設定され、一方、ビット位置Ｂ２には値「０」が設定される。
【０１９５】
また、第１の給紙装置（ＨＣＦ）および第２の給紙装置（ＨＣＦ）に関しては、ビット位置Ｂ１およびビット位置Ｂ２にはそれぞれ値「０」が設定される。
【０１９６】
上述したようにしてビット位置に値「０」が設定された場合は、次回のプリント時の予約が行われたことを意味する。
【０１９７】
（第３のタスクの実行）
【０１９８】
制御部１０４は、第３のタスクを実行したときは、指定情報に後処理方法（後処理機能）が含まれていない場合なので、後処理装置４０を示す識別情報を含む第１の制御情報（命令情報）を生成するとともに、後処理装置５０を示す識別情報を含む第２の制御情報（命令情報）を生成し、これらの制御情報を、画像出力装置１２０の制御部１２１へ出力する。
【０１９９】
また、制御部１０４は、画像が印刷された記録媒体（印刷物）の排出先は後処理装置５０の排出部５２０である旨を画像出力装置１２０へ通知する。これにより、画像出力装置１２０は、印刷物を画像形成装置５０に向けて排出（出力）する。
【０２００】
第１の制御情報には、後処理装置４０を示す識別情報、および電力の供給の停止を継続すべき旨が含まれる。
【０２０１】
第２の制御情報には、後処理装置５０を示す識別情報、排出部５２０を示す情報、および電力の供給の停止を継続すべき旨が含まれる。
【０２０２】
画像出力装置１２０の制御部１２１が、受け取った第１の制御情報および第２の制御情報をＩ／Ｏインタフェース装置６０へ出力すると、Ｉ／Ｏインタフェース装置６０は、制御部１２１から第１の制御情報および第２の制御情報を受け取ったときは、当該第１の制御情報を、当該第１の制御情報に含まれる後処理装置４０を示す識別情報に基づき決定される後処理装置４０に向けて出力するととともに、当該第１の制御情報を、当該第２の制御情報に含まれる後処理装置５０を示す識別情報に基づき決定される後処理装置５０に向けて出力する。
【０２０３】
後処理装置４０では、制御部４１０は、Ｉ／Ｏインタフェース装置６０からの第１の制御情報（命令情報）に基づき、電源部４４０に対し、電力（電源電圧）の供給が停止されているスタッカー機構部４３０に対する電力（電源電圧）の供給の停止を継続するよう制御する。
【０２０４】
これは、コントローラ１００の制御部１０４が、画像出力装置１２０の制御部１２１および後処理装置４０の制御部４１０を通じて、スタッカー機構部の初期化動作を省略する制御を実施していることを意味する。
【０２０５】
後処理装置５０では、制御部５１０は、Ｉ／Ｏインタフェース装置６０からの第２の制御情報（命令情報）に基づき、電源部５７０に対し、電力（電源電圧）の供給が停止されているパンチ機構部５３０、ステープル機構部５４０、スタッカー機構部５５０、およびオフセット機構部５６０のそれぞれに対する電力（電源電圧）の供給の停止を継続するよう制御する。
【０２０６】
これは、コントローラ１００の制御部１０４が、画像出力装置１２０の制御部１２１および後処理装置５０の制御部４１０を通じて、パンチ機構部の初期化動作を省略する制御、ステープル機構部（ステープルヘッド）の初期化動作を省略する制御、スタッカー機構部の初期化動作を省略する制御、およびオフセット機構部の初期化動作を省略する制御を実施していることを意味する。
【０２０７】
また、制御部１０４は、後処理装置（フィニッシャー）にかかわる初期化状態情報１３００を更新する処理を実行する。
【０２０８】
すなわち、制御部１０４は、記憶部１０３内の後処理装置（フィニッシャー）にかかわる初期化状態情報１３００の内容を、図１０に示すように、ビット位置Ｂ１にパンチ機構部の初期移動に関する状態情報を設定し、ビット位置Ｂ２にステープル機構部のステープルヘッドの初期移動に関する状態情報を設定し、ビット位置Ｂ３にスタッカー機構部の初期移動に関する状態情報を設定し、ビット位置Ｂ４にオフセット機構部の初期移動に関する状態情報を設定する。
【０２０９】
ここで、ビット位置Ｂ１、ビット位置Ｂ２、ビット位置Ｂ３、およびビット位置Ｂ４には、初期化動作が未実施の場合（初期化動作を省略した場合）には値「０」が設定され、一方、初期化動作を実施済の場合は値「１」が設定される。
【０２１０】
なお、図１０において、第１の後処理装置は後処理装置４０を示し、第２の後処理装置は後処理装置５０を示す。
【０２１１】
この例では、第１の後処理装置に関しては、後処理装置４０はスタッカー機構部４３０のみを有しているので、ビット位置Ｂ３には値「０」が設定され、ビット位置Ｂ１、ビット位置Ｂ２、およびビット位置Ｂ３には何も設定されない。
【０２１２】
また、第２の後処理装置に関しては、ビット位置Ｂ１、ビット位置Ｂ２、ビット位置Ｂ３、およびビット位置Ｂ４には、それぞれ値「０」が設定される。
【０２１３】
上述したようにしてビット位置に値「０」が設定された場合は、次回のプリント時の予約が行われたことを意味する。
【０２１４】
（第４のタスクの実行）
【０２１５】
コントローラ１００の制御部１０４は、第４のタスクを実行したときは、電源部１６０に対し、電力の供給が停止されている画像出力装置１２０の画像形成部１２４に、当該画像形成部１２４が動作するのに必要な規定の電力（電源電圧）を供給する制御する。
【０２１６】
また、制御部１０４は、画像出力装置１２０の制御部１２１に対し、カラープリント（カラー印刷）で必要な電位合わせを省略するよう制御するとともに、カラー画像（カラー印刷）で必要なＡＤＣ（自動濃度制御）パッチの作成を省略するよう制御する。これにより、画像形成部１２４においては、カラープリントで必要な電位合わせが省略されるとともに、カラー画像で必要なＡＤＣ（自動濃度制御）パッチ画像の生成が省略される。
【０２１７】
また、制御部１０４は、画像処理部１０２に対し、カラー画像（カラー印刷）で必要なＴＲＣ（階調再現曲線）の選定と設定を省略するよう制御する。
【０２１８】
なお、画像処理部１０２は上述したように制御部１０４がソフトウェアを実行することにより実現されるものなので、省電力モードのときは、制御部１０４により画像処理部１０２の機能の一部が制限される。
【０２１９】
すなわち、カラーモードがモノクロの場合、画像処理部１０２は、カラー画像で必要なＴＲＣ（階調再現曲線）の選定と設定の処理を除く、例えばスクリーン処理（網点生成処理）などを実施する。
【０２２０】
さらに、制御部１０４は、プロセス制御にかかわる事前セットアップ状態情報１４００を更新する処理を実行する。
【０２２１】
すなわち、制御部１０４は、記憶部１０３内のプロセス制御にかかわる事前セットアップ状態情報１４００の内容を、図１１に示すように、ビット位置Ｂ１にカラープリントで必要な電位合わせに関する状態情報を設定し、ビット位置Ｂ２にカラー画像で必要なＡＤＣパッチ作成に関する状態情報を設定し、ビット位置Ｂ３にカラー画像で必要なＴＲＣの選定と設定に関する状態情報を設定する。
【０２２２】
ここで、ビット位置Ｂ１、ビット位置Ｂ２、およびビット位置Ｂ３には、事前のセットアップ動作が未実施の場合（事前のセットアップ動作を省略した場合）には値「０」が設定され、一方、事前のセットアップ動作を実施済の場合は値「１」が設定される。
【０２２３】
この例では、ビット位置Ｂ１、ビット位置Ｂ２、およびビット位置Ｂ３には、それぞれ値「０」が設定される。
【０２２４】
上述したようにしてビット位置に値「０」が設定された場合は、次回のプリント時の予約が行われたことを意味する。
【０２２５】
従って、実施の形態では、省電力モードで待機しているときに、ファックス機能（特定の画像形成機能）にかかわる画像形成すべき事象が発生したときは（上述した（１）の画像形成すべき事象が発生したときは）、上述した前提条件の下においては、「コントローラ１００の画像処理部１０２」、「画像読取部１１０のスキャナ１１１および制御部１１２」、「画像出力装置１２０の画像形成部１２０、複数の給紙部１２３，１２４」、「給紙装置２０，３０の複数の給紙部２２０，２３０」、「後処理装置４０のスタッカー機構部４３０」、「後処理装置５０のパンチ機構部５３０、ステープル機構部５４０、スタッカー機構部５５０、オフセット機構部５６０」の各初期化対象要素のうち、ファックス機能（特定の画像形成機能）に応じた初期化対象要素である「給紙装置２０の給紙部２２０」、「画像出力装置１２０の画像形成部１２０」、「コントローラ１００の画像処理部１０２」が初期化またはセットアップされる。
【０２２６】
なお、画像形成部１２０は、モノクロ画像を得るための初期化が行われ、画像処理部１０２はモノクロ画像を得るための画像処理つまりセットアップが行われる。
【０２２７】
ところで、図６に示した初期化制御処理のステップＳ１１２の順序シーケンスの設定処理においては、画像読取部にかかわる初期化状態情報１１００、給紙部にかかわる初期化状態情報１２００、後処理装置（フィニッシャー）にかかわる初期化状態情報１３００、およびプロセス制御にかかわる事前セットアップ状態情報１４００の各ビット位置に値「０」が設定されている状態情報に対応する初期化対象要素について、初期化動作またはセットアップ動作が行われる。
【０２２８】
次に、コントローラ１００の制御部１０４による初期化制御処理のシーケンスについて、図１２を参照して説明する。
【０２２９】
なお、図１２は、初期化制御処理の処理手順を示すシーケンス図である。
【０２３０】
この図１２において、Ｄ１は親のデバイスを示し、Ｄ２は親のデバイスＤ１の子のデバイスを示し、Ｄ３は親のデバイスＤ１の子のデバイスを示す。
【０２３１】
例えば、親のデバイスＤ１がコントローラ１００（図１参照）のときは、子のデバイスＤ２は例えば画像出力装置（エンジン）１２０（図１参照）であり、また子のデバイスＤ３は例えば画像読取部１１０（図１参照）である。
【０２３２】
また、例えば、親のデバイスＤ１が画像出力装置（エンジン）１２０のときは、子のデバイスＤ２は例えば後処理装置（フィニッシャー）４０（図１参照）であり、また子のデバイスＤ３は例えば後処理装置（フィニッシャー）５０（図１参照）である。
【０２３３】
ここでは、親のデバイスＤ１はコントローラ１００を示し、子のデバイスＤ２は画像出力装置（エンジン）１２０を示し、子のデバイスＤ３は画像読取部１１０を示す。
【０２３４】
デバイスＤ１、デバイスＤ２、デバイスＤ２は、省電力モードからの復帰（ＲＥＳＥＴ  Ｒｌｅａｓｅ）する（Ｓ２０１、Ｓ２０２、Ｓ２０３）。
【０２３５】
デバイスＤ１は、デバイスのコンフィグレーション（環境設定）、機能の取得要求とともに、立ち上げパターンはファックス受信プリントモードである旨を、デバイスＤ２およびデバイスＤ３へ通知する（Ｓ２０４、Ｓ２０５）。
【０２３６】
デバイスＤ２は、接続されているコンフィグレーション（環境設定）、機能情報をデバイスＤ１へ通知するとともに（Ｓ２０６）、立ち上げパターンの指定に従って必要な初期化を実施する。
【０２３７】
デバイスＤ３も、デバイスＤ２の場合と同様に、接続されているコンフィグレーション（環境設定）、機能情報をデバイスＤ１へ通知するとともに（Ｓ２０７）、立ち上げパターンの指定に従って必要な初期化を実施する。
【０２３８】
次に、デバイスＤ１は、受信プリントで稼働させる機構、排出先などの指定をデバイスＤ２へ通知する（Ｓ２０８）。例えば、後処理装置の場合、スタッカー指定を通知する。
【０２３９】
デバイスＤ２は、用紙の受け入れが可能である旨をデバイスＤ１へ通知する（Ｓ２０９）。
【０２４０】
デバイスＤ１は、１枚目のフィード（Ｆｅｅｄ）情報（シート（Ｓｈｅｅｔ）  ＩＤ＝＃１）をデバイスＤ２へ通知し（Ｓ２１０）、また２枚目のフィード（Ｆｅｅｄ）情報（シート（Ｓｈｅｅｔ）  ＩＤ＝＃２）をデバイスＤ２へ通知する（Ｓ２１１）。
【０２４１】
デバイスＤ２は、次のフィード（Ｆｅｅｄ）情報の受け入れが可能である旨をデバイスＤ１へ通知する（Ｓ２１２、Ｓ２１３）。
【０２４２】
デバイスＤ１は、フィード（Ｆｅｅｄ）することをデバイスＤ２へ指示する（Ｓ２１４、Ｓ２１５）。
【０２４３】
次に、実施の形態に係る画像形成システムの構成を有しない場合（改善前）と、実施の形態に係る画像形成システムの構成を有する場合（改善後）の初期化動作およびセットアップ動作（調整動作）の各時間の一例について、図１３を参照して説明する。
【０２４４】
なお、図１３（ａ）は上記改善前の初期化動作およびセットアップ動作（調整動作）の各時間の一例を示す図であり、図１３（ｂ）は上記改善後の初期化動作およびセットアップ動作（調整動作）の各時間の一例を示す図であり、図１３（ｃ）は改善前と改善後とにおける初期化動作およびセットアップ動作（調整動作）の各時間の具体的な値を示す図である。
【０２４５】
また、図１３（ａ）において、Ｐ１は画像形成装置１０の画像読取部１１０にかかわる初期化動作の時間を示し、Ｐ２は画像形成装置１０の画像出力装置１２０内の給紙部１２２および給紙部１２３にかかわる初期化動作の時間を示し、Ｐ３は後処理装置（フィニッシャー）４０および後処理装置（フィニッシャー）５０にかかわる初期化動作の時間を示し、Ｐ４はプロセス制御にかかわる事前のセットアップ動作（調整動作）例えばコントローラ１００の画像処理部１０２および画像出力装置１２０の画像形成部１２４のプロセス制御にかかわる事前のセットアップ動作（調整動作）の時間を示す。
【０２４６】
また、図１３（ｂ）において、Ｐ２は画像形成装置１０の画像出力装置１２０内の例えば給紙部１２２にかかわる初期化動作の時間を示し、Ｐ３は例えば後処理装置（フィニッシャー）５０にかかわる初期化動作の時間を示し、Ｐ４はプロセス制御にかかわる事前のセットアップ動作（調整動作）例えばコントローラ１００の画像処理部１０２および画像出力装置１２０の画像形成部１２４のプロセス制御にかかわる事前のセットアップ動作（一部のセットアップ動作を省略）の時間を示す。なお、改善後では、画像形成装置１０の画像読取部１１０にかかわる初期化動作は省略されるので、上記Ｐ１は「０」となる。
【０２４７】
さらに、図１３（ｃ）において、「改善前」の項目に対応するＰ１、Ｐ２、Ｐ３およびＰ４の値（時間）は図１３（ａ）に示す例でのＰ１、Ｐ２、Ｐ３およびＰ４の値を示し、「改善後」の項目に対応するＰ２、Ｐ３およびＰ４の値（時間）は図１３（ｂ）に示す例でのＰ２、Ｐ３およびＰ４の値を示す。なお、改善後では、画像形成装置１０の画像読取部１１０にかかわる初期化動作は省略されるので、上記Ｐ１は「０」となる。
【０２４８】
なお、調整動作が終了した後に実施されるプリント処理の時間は改善前および改善後も同一である。
【０２４９】
図１３から明らかなように、実施の形態に係る画像形成システムの構成を有しない場合（改善前）は、省電力モードで待機しているときに、ファックスデータを受信した場合、画像形成システム（狭義では画像形成装置）の初期化が開始されてからプリント処理が開始されまでの時間は、少なくとも「３４ｓｅｃ」である。
【０２５０】
例えば、用紙１枚分の画像データをファックス受信した場合、その画像データのプリント処理を開始するまでに、「３４ｓｅｃ」の時間を必要とする。
【０２５１】
これに対し、実施の形態に係る画像形成システムの構成を有する場合（改善後）は、画像形成システム（狭義では画像形成装置）の初期化が開始されてからプリント処理が開始されまでの時間は、最大でも「３．１ｓｅｃ」である。
【０２５２】
例えば、用紙１枚分の画像データをファックス受信した場合、その画像データのプリント処理を開始するまでに、「３．１ｓｅｃ」の時間を必要とする。
【０２５３】
また、後処理装置のパンチ機構部、ステープル機構部、スタッカー機構部およびオフセット機構部にかかわる初期化動作が実施されないので、これらの機構部にかかわる初期化動作が実施されたことに起因する音（騒音）は発生しない。
【０２５４】
上述した実施の形態では、後処理を実施する後処理装置を画像形成装置に接続する構成としたが、これに限定されることなく、画像形成装置は、後処理を実施する後処理手段を備えるようにしてもよい。
【０２５５】
この場合、後処理手段は、例えば図３に示した後処理装置５０の構成において、パンチ機構部５３０、ステープル機構部５４０、スタッカー機構部５５０およびオフセット機構部５６０の各後処理機能のうち１つ以上の後処理機能を有するようにする。また、後処理手段が有する後処理機能の機構部には、図１に示した電源部１６０によって、当該機構部が動作するのに適した規定の電力（電源電圧）を供給するようにする。
【０２５６】
そして、省電力モードの状態で待機している画像形成装置１０において、通信部１４０が、通信回線７１を介して、ＦＡＸ通信相手装置７０から送信されたファックスデータ（印刷情報）を受信した場合に、その印刷情報に含まれる指定情報に後処理機能（後処理方法）を示す情報が含まれていないときは、上述した初期化制御処理（図６参照）で説明したように、第３のタスクが起動され実行されるので、後処理手段が有する後処理機能の機構部にかかわる初期化動作は実施されない。
【０２５７】
また、上述した実施の形態では、省電力モードの状態で待機している画像形成システム（画像形成装置１０）において、通信部１４０がＦＡＸ通信相手装置７０からファクシミリ通信により送信されたファックスデータ（印刷情報）を受信した場合の初期化制御処理について説明したが、これに限定されることなく、次のようにしてもよい。
【０２５８】
すなわち、省電力モードの状態で待機している画像形成システム（画像形成装置１０）が、プリントサーバ８０を介して、コンピュータ９０から送信された印刷要求（印刷データと該印刷データにかかわる画像出力に関する指定情報とを含む印刷要求）を受信した場合に、上述した初期化制御処理を実施するようにしてもよい。
【０２５９】
例えば、印刷要求に含まれる指定情報に、後処理機能（後処理方法）を示す情報が含まれていないときは、上述した初期化制御処理（図６参照）で説明したように、第３のタスクが実行されるので、後処理装置４０および後処理装置５０の各後処理機能対応する各機構部にかかわる初期化動作は実施されない。
【０２６０】
この場合、印刷データの印刷処理（プリント処理）であるので、当然、画像読取部１１０は使用されないことになる。そのため、上述した初期化制御処理（図６参照）で説明したように、第１のタスクが実行されるので、画像読取部１１０にかかわる初期化動作も実施されない。
【０２６１】
また、省電力モードの状態で待機している画像形成システム（画像形成装置１０）において、ユーザが操作パネル１３０を操作してコピー指示を入力したことに起因して、コントローラ１００の取得部１０１がそのコピー指示に含まれる指定情報を受信した場合に、上述した初期化制御処理を実施するようにしてもよい。
【０２６２】
そして、制御部１０４は、取得部１０１から渡される指定情報内のコピー指示の内容に、後処理機能を使用する旨が含まれていないと判断したときは、上述した初期化制御処理（図６参照）で説明したように、第３のタスクが実行されるので、後処理装置４０および後処理装置５０の各後処理機能対応する各機構部にかかわる初期化動作は実施されない。
【０２６３】
次に、画像形成装置１０のハードウェア構成について、図１４を参照して説明する。
【０２６４】
なお、図１４は、画像形成装置１のハードウェア構成を示している。
【０２６５】
画像形成装置１０は、図１４に示すように、ＣＰＵ６１０、記憶装置６２０、ＲＯＭ６３０、ＲＡＭ６４０、画像読取装置６５０、画像出力装置６６０、操作パネル６７０、および通信インタフェース（以下「通信Ｉ／Ｆ」という。）６７０，７８０を備えている。
【０２６６】
上記各構成要素６１０〜６８０はシステムバス６００に接続されている。なお、記憶装置６２０、および画像出力装置６６０は、それぞれに対応するインタフェース（図示せず）を介してシステムバス６００に接続される。
【０２６７】
記憶装置６２０は、例えばハードディスクで構成され、図１に示した取得部１０１、画像処理部１０２の各機能を実現するためのプログラム、上述した初期化制御処理の処理手順（図６参照）に対応するプログラムを記憶している。上述した初期化制御処理の処理手順（図６参照）に対応するプログラムには、図７に示した第１のタスクから第４のタスクのそれぞれに対応するプログラムも含まれる。
【０２６８】
また、記憶装置６２０は、図１に示した記憶部１０３の機能を有している。
【０２６９】
ここでは、上述した初期化制御処理の処理手順（図６参照）に対応するプログラムを、画像形成制御プログラムと定義する。
【０２７０】
この画像形成制御プログラム６２０Ａには、少なくとも次の処理過程が含まれている。
【０２７１】
画像形成装置が画像形成の実施が可能な規定の電力より少ない電力が供給される状態を示す省電力モードで待機しているときに、画像形成すべき事象が発生したときは、初期化対象の要素の中で当該画像形成装置にかかわる複数の画像形成機能のうち特定の画像形成機能に応じた要素を初期化させる制御を実行する制御処理過程。
【０２７２】
ＲＯＭ６３０は、読み出し専用メモリであり、画像処理部１０２（図１参照）による画像処理や画像形成部１２４（図２参照）による画像形成処理を実施する際に必要なパラメータやデータ、さらには外部装置との通信のための通信プロトコルを記憶している。
【０２７３】
ＲＡＭ６４０は、随時書き込み読み出しメモリであり、記憶装置６２０から読み込まれたプログラム、ＲＯＭ６３０から読み込まれたパラメータやデータ、画像処理部１０２による画像処理の途中結果や最終結果、通信Ｉ／Ｆ６８０や通信Ｉ／Ｆ６９０を介して送受信されるデータなどを記憶する。
【０２７４】
画像読取装置６５０は図１に示した画像読取１１０の機能を有している。画像出力装置６６０は図１に示した画像出力装置１２０の機能を有している。操作パネル６７０は図１に示した操作パネル１３０の機能を有している。通信Ｉ／Ｆ６８０は図１に示した通信部１４０の機能を有し、通信Ｉ／Ｆ６９０は図１に示した通信部１５０の機能を有する。
【０２７５】
ＣＰＵ１１０は、記憶装置６２０からＲＡＭ６４０に画像形成制御プログラム６２０Ａを含むプログラムを読み込んで実行することにより、取得部１０１、画像処理部１０２の各機能を実現するとともに、上述した初期化制御処理（図６参照）を実施する。また、ＣＰＵ１１０は、画像形成装置１０全体を制御する。ＣＰＵ１１０は、図１に示した制御部１０４の機能を有する。
【０２７６】
本願明細書において、上記初期化制御処理の処理手順を示すプログラム（画像形成制御プログラム）を記録媒体としてのハードディスク等の記憶装置に記録する実施形態として説明したが、当該画像形成制御プログラムを次のようにして提供するようにしてもよい。
【０２７７】
すなわち、上記画像形成制御プログラムをＲＯＭに格納しておき、ＣＰＵが、このプログラムをこのＲＯＭから主記憶装置へローディングして実行するようにしてもよい。
【０２７８】
また、上記画像形成制御プログラムを、ＤＶＤ−ＲＯＭ、ＣＤ−ＲＯＭ、ＭＯ（光磁気ディスク）、フレキシブルディスク、などのコンピュータ読み取り可能な記録媒体に格納して配布するようにしてもよい。この場合、その記録媒体に記録されたプログラムを画像形成装置がインストールした後、このプログラムをＣＰＵが実行するようにする。このプログラムのインストール先としては、ＲＡＭ等のメモリやハードディスクなどの記憶装置がある。そして、画像形成装置は、必要に応じてこの記憶装置に記憶したプログラムを主記憶装置にローディングして実行する。
【０２７９】
さらには、画像形成装置を通信回線（例えばインターネット）を介してサーバ装置あるいはホストコンピュータ等のコンピュータと接続するようにし、当該画像形成装置が、サーバ装置あるいはコンピュータから上記画像形成制御プログラムをダウンロードした後、このプログラムを実行するようにしてもよい。この場合、このプログラムのダウンロード先としては、ＲＡＭ等のメモリやハードディスクなどの記憶装置（記録媒体）がある。そして、当該画像形成装置が、必要に応じてこの記憶装置に記憶された上記プログラムを主記憶装置にローディングして実行するようにする。
【産業上の利用可能性】
【０２８０】
本発明は、画像読取装置と画像形成装置とがローカルに接続された画像形成システムに適用することができる。
【図面の簡単な説明】
【０２８１】
【図１】実施の形態に係る画像形成システムの機能構成を示すブロック図である。
【図２】実施の形態に係る画像形成システムの画像出力装置および給紙装置の機能構成を示すブロック図である。
【図３】実施の形態に係る画像形成システムの後処理装置の機能構成を示すブロック図である。
【図４】実施の形態に係る初期化制御処理に関する情報に含まれる順序シーケンスデータの一例を示す図である。
【図５】実施の形態に係る画像形成システムの外観を示す外観図である。
【図６】実施の形態に係るコントローラの制御部による初期化制御処理の処理手順を示すフローチャートである。
【図７】実施の形態に係る初期化制御処理のときに起動されるタスクの一例を示す図である。
【図８】実施の形態に係るコントローラの制御部によって管理される画像読取部（画像読取装置）にかかわる初期化状態情報の一例を示す図である。
【図９】実施の形態に係るコントローラの制御部によって管理される給紙部にかかわる初期化状態情報の一例を示す図である。
【図１０】実施の形態に係るコントローラの制御部によって管理される後処理装置（フィニッシャー）にかかわる初期化状態情報の一例を示す図である。
【図１１】実施の形態に係るコントローラの制御部によって管理されるプロセス制御にかかわる事前セットアップ状態情報の一例を示す図である。である。
【図１２】実施の形態に係るコントローラの制御部による初期化制御処理の処理手順を示すシーケンス図である。
【図１３】実施の形態に係る画像形成システムの構成を有しない場合（改善前）と、実施の形態に係る画像形成システムの構成を有する場合（改善後）の初期化動作およびセットアップ動作（調整動作）の各時間の一例を示す図である。
【図１４】実施の形態に係る画像形成装置のハードウェア構成を示す構成図である。
【符号の説明】
【０２８２】
１  画像形成システム
１０  画像形成装置
２０，３０  給紙装置
４０，５０  後処理装置
６０  Ｉ／Ｏインタフェース装置
７０  ＦＡＸ通信相手装置
８０  プリントサーバ
９０  コンピュータ
７１，８１，９１  通信回線
１００  コントローラ
１０１  取得部
１０２  画像処理部
１０３  記憶部
１０４  制御部
１１０  画像読取部
１２０  画像出力装置
１２１  制御部
１２２，１２３  給紙部
１２４  画像形成部
１２５  排出部
１３０  操作パネル
１４０，１５０  通信部
１６０  電源部
２１０  制御部
２２０，２３０  給紙部
２４０  電源部
４１０  制御部
４２０  排出部
４３０  スタッカー機構部
４４０  電源部
５１０  制御部
５２０  排出部
５３０  パンチ機構部
５４０  ステープル機構部
５５０  スタッカー機構部
５６０  オフセット機構部
５７０  電源部
６００  システムバス
６１０  ＣＰＵ
６２０  記憶装置
６２０Ａ  画像形成制御プログラム
６３０  ＲＯＭ
６４０  ＲＡＭ
６５０  画像読取装置
６６０  画像出力装置
６７０  操作パネル
６８０，６９０  通信インタフェース
１０００  順序シーケンスデータ
【図１】
2010078935.tif 000003
【図２】
2010078935.tif 000004
【図３】
2010078935.tif 000005
【図４】
2010078935.tif 000006
【図５】
2010078935.tif 000007
【図６】
2010078935.tif 000008
【図７】
2010078935.tif 000009
【図８】
2010078935.tif 000010
【図９】
2010078935.tif 000011
【図１０】
2010078935.tif 000012
【図１１】
2010078935.tif 000013
【図１２】
2010078935.tif 000014
【図１３】
2010078935.tif 000015
【図１４】
2010078935.tif 000016